(57)【要約】【課題】従来、多数のリンクとピンにより構成されるパンタグラフ状伸縮構造体を、ピンを用いずに製作が可能な単純な構造とする。【解決手段】一枚のシート素材の所定箇所に、スリットと折り曲げ線を形成することで、シートに多数のリンク面を形成し、これらが互いに連係動作するように構成することで、全体がパンタグラフ状のリンク構造を持つ伸縮構造体とする。【選択図】図１
2012245579.tif 000002
【特許請求の範囲】
【請求項１】
山折りと谷折りを交互に繰り返して形成される蛇腹面は、基本蛇腹面Ｓ1．Ｓ２．Ｓ３．Ｓ４．Ｓ５…と、基本蛇腹面と同一平面で延長されたリンク面Ｒ1．Ｒ２．Ｒ３．Ｒ４．Ｒ５…より形成され、リンク面は、２つの基本蛇腹面を挟んで位置する基本蛇腹面（Ｓ１とＳ４や、Ｓ２とＳ５）同士を繋ぐように屈曲可能に繋がっていることで、このリンク面(Ｒ１とＲ４)と、リンク面に挟まれた２つの基本蛇腹面(Ｓ２とＳ３)によってリンク構造が形成され、これに隣接するリンク構造（Ｒ３．Ｒ６．Ｓ４．Ｓ５）が互いに連係するＸリンクとなり、更に全体としてこれが繋がった構造となることで、本蛇腹体全体が連係するリンク構造となることを特徴とする蛇腹体。
【請求項２】
山折りと谷折りを交互に繰り返して形成される基本蛇腹面の２つの蛇腹面を挟んで位置する蛇腹面同士が、該蛇腹面と同一平面で延長されたリンク面によってリンク構造が形成される請求項1に記載の蛇腹体であって、連結される基本蛇腹面がＳ１とＳ４、Ｓ３とＳ６、Ｓ５とＳ８、Ｓ７とＳ１０…というように、ひとつ飛ばしで繋がることで、基本蛇腹面の片側面にのみリンク面が形成されることを特徴とした蛇腹体。
【請求項３】
１枚の板状材４に、スリット３及び折り曲げ線５ａ．５ｂを形成することで、全ての基本蛇腹面とリンク面が、板状材４により構成されていることを特徴とする請求項1及び２記載の蛇腹体。
【請求項４】
本蛇腹体を、柔軟なヒンジシート６と、剛性の高い板状材４の複合構造とし、板状材４の折り曲げ線５ａ．５ｂを、Ｖカットまたはハーフカットとして形成し、本蛇腹体を折り曲げた際に、折り曲げ線５ａ．５ｂが、少なくともヒンジシート６により繋がっていることを特徴とする請求項1から３記載の蛇腹体。
【請求項５】
基本蛇腹面及びそれと繋がるリンク面に、リブ11となる湾曲または凹みが設けられ、該リブ11は、本蛇腹体を折り畳んだ際に湾曲または凹み部分が積層して重なり合うように形成されていることを特徴とする請求項1から4記載の蛇腹体。
【請求項６】
本蛇腹体を屏風の様に屈曲させた状態で、開口しているスリット３部分に位置決め板12を取り付けることで、本蛇腹体の屈曲形状が固定されると共に、位置決め板12または位置決め板12に繋がる部材が本蛇腹体から略直角に突出した棚面となることを特徴とする請求項1から5記載の蛇腹体。
【請求項７】
本蛇腹体の片面又は、両面で、基本蛇腹面、または基本蛇腹面に繋がるリンク面の折り返し面に沿って、紙または布またはフィルム等の柔軟なカバー材13を取り付けるか、又は、リンク面或は基本蛇腹面の折り返しピッチと同一の折り返しピッチを有する剛性の高いカバー材13が、基本蛇腹面またはリンク面に沿って取り付けられているものであることを特徴とする請求項１から5記載の蛇腹体。
【請求項８】
本蛇腹体の片面又は、両面で、基本蛇腹面の山折り側折り曲げ線５ａ、またはリンク面の山折り側折り曲げ線５ａに沿って、紙または布またはフィルム等の柔軟なカバー材13を取り付けるか、又は、屏風状に屈曲可能な剛性の高いカバー材13の折り曲げ線のうち、山折りまたは谷折りのいずれかの側の頂点が取り付けられていることを特徴とする請求項１から5記載の蛇腹体。
【発明の詳細な説明】
【技術分野】
【０００１】
本発明は、平面材を規則的に折り返した、伸縮蛇腹体の構造に関するものであり、更に詳しくは、蛇腹体全体がパンタグラフ状の伸縮リンク構造を有するものである。
【背景技術】
【０００２】
従来知られている最も単純な蛇腹は、山折りと谷折りを繰り返した、いわゆる屏風折りと呼ばれるものである。このように折り返して畳むことで、コンパクトな形状で収納したり、自由な長さに延ばすことができる。また、単純な折り返しではなく、パンタグラフ構造に代表されるリンクとピンから構成されるメカニズムにより、様々な伸縮構造体が形成されることもある。
【発明の概要】
【発明が解決しようとする課題】
【０００３】
単純な屏風折り蛇腹構造の課題としては、各屈曲部位が独立して折れ曲がる為、全体として形状が特定しないという点が挙げられる。一般的にコンパクトに折り畳みたい場合は、屈曲部分の数を増やす必要があるが、屈曲部分が多数有るほど、不定形となりやすく、扱い難いものとなる。
【０００４】
屏風折りとは異なり、いわゆるパンタグラフ状に折り畳まれるものは、この問題を解決するものであり、各折り曲げ部分が互いにリンクされることで、全体として１方向への伸縮という自由度のみを有し、伸縮動作に伴い、各折り曲げ部分が均等に開閉するという構造的特徴を持つ。しかし、この方式は、平面部材に折り曲げ部分を形成するだけの前者例に比較して、多数のリンクやこれらを軸着するピン、及び複雑で精密な組み立て作業を必要とする。
【０００５】
本発明は、上記の問題点を解決したもので、即ち、平面部材に、スリットと折り曲げ部分を形成するだけの単純な構造でありながら、各折り曲げ部分が互いにリンクされるパンタグラフ構造となる蛇腹体に関するものである。
【課題を解決するための手段】
【０００６】
山折りと谷折りを交互に繰り返して形成される基本蛇腹面をＳ1．Ｓ２．Ｓ３．Ｓ４．Ｓ５とした場合、２つの基本蛇腹面を挟んで位置する基本蛇腹面（Ｓ１とＳ４や、Ｓ２とＳ５）同士が該蛇腹面と同一平面で延長されたリンク面によって屈曲可能に繋がることで、このリンク面(Ｒ１とＲ４)と、リンク面に挟まれた２つの基本蛇腹面(Ｓ２とＳ３)によって形成されるリンク機構と、これに隣接するリンク機構（Ｒ３．Ｒ６．Ｓ４．Ｓ５）が互いに連係するＸリンクとなり、更に全体としてこれが繋がった構造となることで、本蛇腹体全体が連係するリンク機構をとるように形成される。
【発明の効果】
【０００７】
シンプルな構造で折り曲げ部分がリンクする蛇腹体を構成可能とすることで、様々な用途に用いることが出来る伸縮構造体の製作が低コストで可能となる。
平面な板状材を素材として形成される本蛇腹体の場合、伸張させた状態では、略平面体となり、遮蔽、遮断を目的とした部材として形成するのに好適である。
本蛇腹体は、半開状態では、立体的な凹凸が規則的なパターンで繰り返された形状となり、この立体凹凸面は、単に機能美を有するだけでなく、例えば別部材を組み合わせることで、更に多用途な目的での使用が可能となる。
【０００８】
また蛇腹体は、縮めた状態ではコンパクトになり、伸ばした状態では、視認性や作業性が高まる為、本蛇腹体で収納具を製作することも有効となる。
本蛇腹体は、平面な板状材を素材として製作されるが、ダンボールや発泡樹脂を用いてリンク構造を形成することも可能で、非常に安価に製作することも可能になる。
【図面の簡単な説明】
【０００９】
【図１】本発明の実施例を示す斜視図
【図２ａ】本発明の実施例を示す平面図
【図２ｂ】本発明の実施例を示す平面図
【図３】本発明の実施例を示す正面図
【図４】本発明の実施例を示す平面図
【図５】本発明の実施例を示す斜視図
【図６】本発明の実施例を示す正面図
【図７】本発明の実施例を示す正面図
【図８】本発明の実施例を示す断面図
【図９】本発明の実施例を示す正面図
【図１０】本発明の実施例を示す斜視図
【図１１】本発明の実施例を示す斜視図
【図１２】本発明の実施例を示す平面図
【図１３】本発明の実施例を示す平面図
【図１４】本発明の実施例を示す斜視図
【図１５】本発明の実施例を示す斜視図
【図１６】本発明の実施例を示す斜視図
【図１７】本発明の実施例を示す平面図
【図１８】本発明の実施例を示す斜視図
【発明を実施するための形態】
【００１０】
次に、本発明の実施例について、図面に基づき説明する。
【実施例】
【００１１】
図1は、本発明の蛇腹体の一例を示したものである。
山折りと谷折りを交互に繰り返して形成される基本蛇腹面Ｓ1．Ｓ２．Ｓ３．Ｓ４．Ｓ５…の中で、２つの蛇腹面Ｓ２とＳ３を挟んで位置する蛇腹面同士Ｓ1とＳ４が、該蛇腹面と同一平面で延長されたリンク面Ｒ１とＲ４によって連結されている。このリンク面も、本蛇腹体に設けられたスリット３と折り曲げ線５ａ．５ｂによって板状材４上に形成されたものであり、リンク面Ｒ１は、基本蛇腹面Ｓ1と繋がった剛体となり、リンク面Ｒ４は、基本蛇腹面Ｓ４と繋がった剛体となっている。同様に、リンク面Ｒ３は基本蛇腹面Ｓ３と繋がった剛体となり、リンク面Ｒ６は基本蛇腹面Ｓ６と繋がった剛体となる。
尚、ここで言うスリット３は、単純な切れ目に限らず、一定の幅を有する細長い切り抜き穴も含める。
【００１２】
本図の例では、リンク面により連結される基本蛇腹面が、Ｓ１とＳ４、Ｓ３とＳ６、Ｓ５とＳ８、Ｓ７とＳ１０…というように、ひとつ飛ばしで連結されているが、このように構成されたリンク構造を上面から見ると、図２（ａ）に示したように、Ｘリンクが連続して繋がったパンタグラフ構造となり、本蛇腹体は連係するひとつのリンク体となる。このため、全体が均一に伸縮すると共に、曲げに対する剛性を有する蛇腹体を形成することが出来る。図２（ｂ）は、収縮させた状態を上面から見たところである。
【００１３】
図３は、上述の例の本蛇腹体を伸張させた状態での正面図であり、展開図に相当するものである。剛性を有する一枚の板状材４に、図に示すようなスリット３と折り曲げ線５ａ．５ｂを形成するだけで、本蛇腹体を形成可能である為、例えばトムソン加工等、非常に容易で安価な製作手段を用いることもできる。本例で、折り曲げ線は、鎖線５ａが山折り、一点鎖線５ｂが谷折り、として形成されている。
【００１４】
基本蛇腹面の片面にリンク面を形成することで、Ｘリンクが連続した長尺の蛇腹体が製作できるが、基本蛇腹面の両面にリンク面を形成することも、構造上可能である。
図４は、基本蛇腹面同士を連結するリンク面が、基本蛇腹面の両面に形成された本蛇腹体を上から見た平面図である。例えば基本蛇腹面Ｓ５に繋がるリンク面Ｒ５は、Ｓ５の両側方向に伸びる２箇所に形成されるが、この為、基本蛇腹面の両面にリンク面が形成されて、長尺のパンタグラフが二列重った構造となり、図1の例と同様、全ての辺が一つのリンクとした連係動作する。
【００１５】
図５は、スリット３が斜めに設けられている例であり、形成されるリンク面が、それに一体として繋がる基本蛇腹面と剛性を保ちやすい形状となり、前例に比較して同じ板状材４であっても、強度の高い蛇腹リンク構造を形成しやすくなる。本例では、基本蛇腹面に対して片面にリンク面が構成された形式となっており、図６は、本蛇腹体を伸張させた状態の正面図を示している。
【００１６】
上記のいずれの例でも、本発明蛇腹体の基本蛇腹面の幅は略等間隔で図示されているが、これは必ずしも本発明の必須条件ではない。即ち、本蛇腹体に形成される多数の四辺形に関して、基本蛇腹面の幅Ｓとリンク面Ｒの関係がＳ２＋Ｓ３＝Ｒ１＋Ｒ４となれば、一枚の板状素材を元にして本蛇腹体を構成することができる。
【００１７】
また、一般に蛇腹体は収縮時に密着することが望ましい場合が多いが、上記と同様に、基本蛇腹面の幅Ｓとリンク面Ｒの関係がＳ２＋Ｒ１＝Ｓ３＋Ｒ４となれば、本蛇腹体を収縮させた際に密着させることが可能になる。
【００１８】
更に、本蛇腹体に形成される折り曲げ線５ａ．５ｂは、必ずしも平行に形成されている必要は無く、例えば折り曲げ線が放射状に形成されたものやこれを組み合わせたものであってもよい。図７に示す本例の蛇腹体を伸張させると、略扇型を形成するように伸縮する。
【００１９】
本蛇腹体は、屈曲が容易で繰り返し折り曲げても破断し難いヒンジシート６と、剛性の高い板状材４の複合構造とすることも可能である。板状材４とヒンジシート６から形成された本蛇腹素材には、スリット３が形成されていると共に、折り曲げ線の部分に、ハーフカット７、またはＶカット８が施されている。
【００２０】
図８は、本例の断面図を示しており、ハーフカット７または、Ｖカット８は、折り曲げ線の山側面５ａから切り込まれるように形成されている。
蛇腹体を収縮状態で密着させるには、折り曲げ部分が１８０度折り返される必要があるが、板状材４が厚い場合、蛇腹体の谷折り面でヒンジシート６が繋がっている構造とすることで、折り返しが容易になると共に、ヒンジシート６がフレキシブルに屈曲する幅を小さくすることができる。ヒンジシート６の屈曲幅が広くなると、実際の折り曲げ線の位置が厳密に定まり難くなり、一箇所では僅かな誤差であっても、多数のリンクが繋がることで、リンク構造のバックラッシュが増大してしまうが、本例のように蛇腹体の谷折り面をヒンジシート６で繋ぐことで、ヒンジシート６の屈曲幅を小さくできるので、この問題を低減できる。
【００２１】
本例の板状材４は、ボード紙や木質材、あるいは、樹脂や金属板を用いることが可能で、またヒンジシート６は、布や不織布、樹脂フィルムや紙、或いは金属を含むメッシュ素材や微小なチェーンシートであってもよい。
【００２２】
上記の例のように、板状材４に貼り付けられるヒンジシート６が１枚のシートとして構成されている場合、貼り付け加工が簡便にできるが、ヒンジシート６は複数枚により形成されても良い。その場合、少なくとも折り曲げ線５ａ．５ｂの位置にヒンジシート６が形成されている必要がある。
【００２３】
ヒンジシート６は、縦横で強度に異方性を持たせたものであってもよく、例えば繊維を一方向に配向したシートであってもよい。この場合、折り曲げ線５ａ．５ｂに対して繊維が直角方向に形成されるようにシートが貼り付けられることで、繰り返しの屈曲に対するヒンジシート６の耐久性を高めることができる。又、板状材４が縦横で強度の差を有したものである場合、スリット３と平行な方向を、折り曲げ強度の高い向きとすることで蛇腹全体の強度を高めることができる。
【００２４】
板状材４の表面にヒンジシート６を形成した例を上で説明したが、ヒンジシート６の両面に板状材４を貼り付けて、本蛇腹体の素材とすることも可能である。
更に、当然ながら、本蛇腹体はヒンジシート６を用いずに形成することも可能であり、例えばダンボールや板紙、樹脂板、発泡樹脂板等に、折り曲げ線５ａ．５ｂとスリット３を形成することで本発明の蛇腹体を製作することも可能である。
【００２５】
図９は、基本蛇腹面およびそれに繋がるリンク面に蛇腹伸縮方向と略平行なリブ11を形成した例である。図中の斜線部分で示したリブ11は、細長い窪みとして形成され、本蛇腹体を折り畳んだ際に、互いにリブ山とリブ谷が重なり合い、蛇腹収縮時の妨げとならないように形成されている。本例に示すようなリブ11を形成することで、蛇腹面に直角方向の応力に対する剛性が高まり、特に、蛇腹を伸ばした場合の強度を高め、しなりを減少させることが可能となる。
【００２６】
リブ11の形状は、板状材４やスリット３の形状に即したものであっても良く、例えば図６の如くスリット３が斜めに形成されている場合、リブ11もスリット３と平行に形成することで補強効果を高めることができる。リブ11の形状は、本例のように板状材４に凹み部分が形成されるもの以外に、板状材の断面をＵ字型に屈曲させたものであっても良い。その場合、リブ11が折り曲げ線と交わる位置で、折り曲げ線に空隙が形成される必要が有る。
【００２７】
図10は、本蛇腹体を屏風の様に立てた状態で、開口しているスリット３に位置決め板12を差し込んだ例を示している。位置決め板12によりスリット３の開口形状が固定されるため、本蛇腹体の折り返し角度が定まり形状が保たれる。本例で位置決め板12は、本発明の蛇腹面に対して垂直な平面が形成されており、この平面を棚面として利用することが可能である。
位置決め板12は、様々な形状が想定されるが、開口しているスリット３に嵌り合うものであれば、特にその形状を限定するものではない。
本発明蛇腹体を一定形状に伸張させた状態で利用したい場合、本例のように位置決め板12を用いることで、蛇腹体の剛性を高めると共に、形状を固定することができる。
【００２８】
図11は、本蛇腹体の片面にカバー材13を貼り付けた例である。
本蛇腹体を遮光や通気の遮断を目的として用いる場合、蛇腹体のスリット３部分が機能の妨げとなる可能性があるが、本例のように、蛇腹の伸縮に追従して柔軟に屈曲するカバー材13を本蛇腹体の表面に取り付けることにより、本蛇腹体全面をひとつの遮断面として形成することが出来る。本図の例のカバー材13は、基本蛇腹面、または基本蛇腹面に繋がるリンク面の折り返し面に沿って形成される単純な屏風折り形状であり、例えば、カバー材13を、網目とすることで、本蛇腹体を伸縮する網戸として形成することもできる。
【００２９】
カバー材13は、本蛇腹体の両面に形成することも可能であり、その場合、カバー材13の間に空間が形成される為、断熱性等が高まる。
カバー材13により、本蛇腹体のスリット３が隠れ、見た目がシンプルになり、指を挟む心配が無くなり、清掃が容易になるという効果も有る。
【００３０】
図12も、本蛇腹体の片面に屈曲が容易なカバー材13を取り付けた例である。
本例のカバーは、図11の例と異なり、蛇腹体の折り曲げピッチよりも、カバー材の折り曲げピッチが小さく形成されており、蛇腹体が一定長引き伸ばされると、カバー材13が平らに引き伸ばされた状態となり、本蛇腹体の表面が平滑な面として形成されるものである。本例では、カバー材13と本蛇腹体はリンク面または、基本蛇腹面の折り曲げ頂点部分５ａでのみ繋がっており、本例では、蛇腹体を折り畳むと、図13のように、カバー材13はカバー折れ線９で折れ曲がり、密着して畳まれた形状になる。本例のカバー材13は、全体が柔軟な素材であっても良いが、図13に於いて、屈曲しているカバー折れ線９のみが柔軟な、屏風状の板材であっても良い。このように形成された本蛇腹体は、引き伸ばすと平滑な面が形成されるのでテーブルとして利用可能となる。
また、図13の例で、蛇腹体の折り曲げピッチよりも、カバー材13の折り曲げピッチを大きく形成した場合、カバー材13は連続して繋がる鋭角な折り返し面として形成され、吸音効果が高くなり、防音壁に適した形状となる。
【００３１】
図11から13では、本発明の蛇腹面に別の屈曲体として、つづれ折り形状のカバー材13を取り付けた例であるが、この他、本発明の蛇腹体を２つ用意し、互いの蛇腹面同士が密着するように、接合することも可能である。このように形成された蛇腹体は、夫々がリンク伸縮機能を有している為、蛇腹体としての強度が増す。
重ね合わせる位置によって、スリット部分の透光率が変わり、例えば、半対面の光が直接透過せずに、一度反射させた光が蛇腹面に映る間接光とさせることも可能になる。
【００３２】
上記のカバー材13や、または板状材４を様々な特性を持つ素材で形成することで、この素材の特性を備えつつ、蛇腹伸縮する機能を具備させることが可能になる。例えば、防音性、断熱性、防火性、防弾性、美粧性、等を有する板材で上記カバー材13や板状材４を形成することで、これらの機能や特性を有した蛇腹スクリーンを形成することが可能になる。
【００３３】
図14は、本蛇腹体の一部に吸盤10やクリップ部分を形成して、車のフロントグラスシェード14や、或いは、窓ガラスのサンシェードとして用いることを可能とした例である。
従来の屏風折りタイプのシェードと異なり、畳んだ状態から両端を開くだけで、ワンタッチに展開させることができる。また、このような取り付け式以外に、本蛇腹体を車両内部にセットしておき、必要に応じて引き伸ばして使用することも可能である。
フロントグラスシェード14の場合、低コスト化や軽量化が求められるが、本蛇腹体をダンボールで製作することにより、安価に軽量に製作することが可能となる。蛇腹体には、図11のようなカバー材13が形成されていれば遮蔽率が高くなるが、スリット３を残しておくことで透光性を保つこともできる。
【００３４】
本蛇腹体は、伸縮する扉やアコーデオン式カーテンとしても適している。軽量に製作することが可能であると共に、全体の剛性が高いので、従来の方式とは異なり、短いスパンであればレールを用いずに、本蛇腹体の片側端面のみを固定することで、蛇腹体を支持することも可能となる。スパンが長い場合は、従来の蛇腹扉のように、蛇腹の下側にキャスターを取り付けたり、或いは、カーテンレール状の吊り下げ構造としても差し支えない。また、例えば上下に伸縮する扉として用いることも可能である。
【００３５】
本蛇腹体は、棚面を取り付けることで壁面ラックやディスプレイ什器として形成することもできる。図10ではスリット３に差し込まれた位置決め板12を棚面としているが、取り付け部分を蛇腹形成の為のスリット３に限定せず、カバー材13に棚面を固定するための切り欠きや穴を形成しておき、これに棚面を取り付けることも可能である。
【００３６】
本蛇腹体はパーテーションとしても最適である。所望する長さに調節可能で、適度な空隙が形成されることで透光性も有し、また、規則的な立体格子状パターンがデザインに優れている上、軽量なため非常に扱いやすいパーテーションとして利用できる。
【００３７】
図15は、本蛇腹体の蛇腹面を利用して脚部15を形成した例である。脚部15は、板状材4の折り返し形状を変えて、本蛇腹体の設置面積を増大させたものであるが、本例の形状の脚部は本蛇腹体のリンク構造に追従する為、非常に簡便に脚部15を形成できる。また脚部15に重りとなるプレート18を取り付けることで、本蛇腹体を立てた際に安定感を増すことができる。
【００３８】
本蛇腹体は様々な用途で使用可能であるが、支柱を用いて、安定して直立させることが望まれる場合もある。本蛇腹体の端部または、中間位置に支柱16を取り付けることで、本蛇腹体を直立させた状態のまま、その長さを自由に調節することが可能である。支柱16は設置面に対して垂直に保たれるように脚部15が形成され、脚部15の設置面積を広くし、重量を増大させることで、本蛇腹体を安定性が増す。
図16は、支柱を付属した本蛇腹体の一例であるが、支柱16や脚部15の構造及び、蛇腹との取り付け方法については様々な方法が考えられ、本発明はこれを限定するものではない。
【００３９】
本蛇腹体は、端部を連結し、ケージ体を形成することもできる。ケージは、例えばゴミの集積ボックスとしたり、動物や乳幼児用のサークルとして利用することができ、畳んだ状態では図17のように非常にコンパクト化できる。本図の例では、四本の支柱16を介して四面の蛇腹体が連結されている。
【００４０】
また、本蛇腹体の蛇腹面に差し込み溝17を形成し、この差し込み溝に薄い形状の物品を保管収納することができる。図18は、蛇腹体の片面に形成した差し込み溝17に、カード類19を収納した例であるが、この他、記録ディスク、名刺類、等様々なものが収納可能である。差し込み溝の代わりに粘着面を形成して、写真やカードを貼り付けておくこともできる。写真を貼り付けた場合は、伸縮するフォトスタンドとして用いることも出来る。
【産業上の利用可能性】
【００４１】
以上、説明の通り、本発明による蛇腹体は、非常にシンプルな構造で様々な板状体から蛇腹リンク構造を形成することが可能なものであり、多岐にわたる分野で伸縮機能を有する物品を製作することが可能となる。例えば、スライド扉、パーテーション、アコーデオン状カーテン、シヤッター、間仕切り壁、ブラインド、防火扉、伸縮門扉、仮設フェンス、日除け、ルーバー、断熱パネル、防弾パネル、防音パネル、開閉天井、風呂蓋、装飾壁面、テーブル面等として利用することが可能である。
【００４２】
また、水平板を取り付けることで棚として用いることが可能となったり、複数の蛇腹体を組み合わせて、折り畳みケージや通路誘導壁を形成することができる。
更に、縮めた状態ではコンパクトになり、伸ばした状態では、視認性や作業性が高まる為、メニューボードやフォトスタンド、収納具としてファイルボックスやカードケースへの応用も可能である。
本蛇腹体は、半開状態では、立体的な凹凸が同じパターンで繰り返された形状となり、この立体凹凸面は、規則的なシルエットを生み、高いデザイン性を有する。
以上の説明のように、本発明の蛇腹体は、各種の開閉扉やスクリーン、構築物の一部、家具什器、或いは収納用具として、利用が可能となる。
【符号の説明】
【００４３】
Ｓ１．Ｓ２．Ｓ３．Ｓ４…  基本蛇腹面
Ｒ１．Ｒ２．Ｒ３．Ｒ４…  リンク面
３    スリット
４    板状材
５ａ  折り曲げ線（山折り線）
５ｂ  折り曲げ線（谷折り線）
６    ヒンジシート
７    ハーフカット
８    Ｖカット
９    カバー折れ線
10    吸盤
11    リブ
12    位置決め板
13    カバー材
14    フロントグラスシェード
15    脚部
16    支柱
17    差し込み溝
18    プレート
19    カード類
【図１】
2012245579.tif 000003
【図２ａ】
2012245579.tif 000004
【図２ｂ】
2012245579.tif 000005
【図３】
2012245579.tif 000006
【図４】
2012245579.tif 000007
【図５】
2012245579.tif 000008
【図６】
2012245579.tif 000009
【図７】
2012245579.tif 000010
【図８】
2012245579.tif 000011
【図９】
2012245579.tif 000012
【図１０】
2012245579.tif 000013
【図１１】
2012245579.tif 000014
【図１２】
2012245579.tif 000015
【図１３】
2012245579.tif 000016
【図１４】
2012245579.tif 000017
【図１５】
2012245579.tif 000018
【図１６】
2012245579.tif 000019
【図１７】
2012245579.tif 000020
【図１８】
2012245579.tif 000021